(57)【要約】【課題】ユーザがコンテンツを再生したり、バックアップ保存したりするためのコンテンツ選択画面を表示する際に、使用状況に適したインデックス画面を表示できるようにする。【解決手段】動画像の記録開始操作から記録停止操作までの１ショットのコンテンツを、１つまたは複数のファイルで管理して記録媒体に記録するフォーマットを採用した記録再生装置において、前記ショットの中の動画像から静止画を切り出してショットサムネイルを生成するとともに、前記ファイルの中の動画像から静止画を切り出してファイルサムネイルを生成し、前記コンテンツを記録媒体から通常再生する場合には前記ショットサムネイルの一覧を表示し、前記コンテンツのコピーまたは移動を伴う操作を行う場合には前記ファイルサムネイルの一覧を表示するようにすることにより、使い勝手の良いコンテンツ選択画面をユーザに提供できるようにする。【選択図】  図１
2009163852.tif 000002
【特許請求の範囲】
【請求項１】
動画像データを記録媒体に記録する記録手段と、
前記記録媒体から前記動画像データを再生する再生手段と、
前記記録媒体に記録された動画像データを再生する再生モードと、前記記録媒体に記録された動画像データを他の記録媒体に記録するコピーモードとの間でモードを設定するモード設定手段と、
前記記録媒体に記録された動画像データに係るインデックス画面を表示装置に表示する表示手段と、
前記モード設定手段により設定されたモードに応じて前記インデックス画面の表示を変更するよう前記表示手段を制御する制御手段とを備え、
前記制御手段は、前記再生モードにおいては記録開始の指示から記録停止の指示までの間に記録された前記動画像データからなるショットを単位としてその内容を示す第１のインデックス画面を表示し、前記コピーモードにおいては一つの前記ショットを構成する一つまたは複数のファイルを単位としてその内容を示す第２のインデックス画面を表示するよう前記表示手段を制御することを特徴とする記録再生装置。
【請求項２】
前記再生モードにおいては前記第１のインデックス画面に表示された複数の前記ショットのうちの任意のショットを選択し、前記コピーモードにおいては前記第２のインデックス画面に表示された複数の前記ファイルのうちの任意のファイルを選択する操作手段を備え、
前記制御手段は、前記再生モードにおいては前記操作手段により選択されたショットの動画像データを再生するよう前記再生手段を制御し、前記コピーモードにおいては前記操作手段により選択されたファイルの動画像データを再生するよう前記再生手段を制御することを特徴とする請求項１に記載の記録再生装置。
【請求項３】
前記他の記録媒体を備える外部ストレージ装置を接続するためのインターフェースを備え、
前記コピーモードにおいては、前記インターフェースにより前記再生されたファイルの動画像データを前記外部ストレージ装置に送信して前記他の記録媒体に記録することを特徴とする請求項１または２に記載の記録再生装置。
【請求項４】
前記制御手段は、前記他の記録媒体の容量が、前記記録媒体の容量より大きい場合には、前記コピーモードにおいても、前記第１のインデックス画面を表示するように制御することを特徴とする請求項１〜３の何れか１項に記載の記録再生装置。
【請求項５】
前記制御手段は、一つの前記ショットの動画像データの容量が前記他の記録媒体の容量よりも少ない場合、前記コピーモードにおいても前記第１のインデックス画面を表示するように制御することを特徴とする請求項１〜３の何れか１項に記載の記録再生装置。
【請求項６】
前記制御手段は、前記第２のインデックス画面において、一つの前記ショットに含まれる一つまたは複数のファイルの情報を他のショットと識別可能な様に表示するように制御することを特徴とする請求項１〜５の何れか１項に記載の記録再生装置。
【請求項７】
前記表示手段は、前記第１のインデックス画面においては前記ショットのサムネイル画像を表示し、前記第２のインデックス画面においては前記ファイルのサムネイル画像を表示し、
前記制御手段は、前記一つのショットに含まれる複数のファイルのサムネイル画像のうち、前記ショットの先頭のファイルのサムネイル画像を他のファイルのサムネイル画像と識別可能な様に表示するように制御することを特徴とする請求項６に記載の記録再生装置。
【請求項８】
動画像データを記録媒体に記録する記録手段と、
記録開始の指示から記録停止の指示までの間に記録された一連の前記動画像データからなるショットを単位として前記動画像データを管理するための第１の管理情報と、所定のサイズ以下のファイルを単位として前記動画像データを管理するための第２の管理情報とに基づいて前記記録媒体に記録された動画像データを管理する管理手段と、
前記記録媒体から前記動画像データを再生する再生手段と、
前記記録媒体に記録された動画像データを再生する再生モードと、前記記録媒体に記録された動画像データを他の記録媒体に記録するコピーモードとの間でモードを設定するモード設定手段と、
前記記録媒体に記録された動画像データに係るインデックス画面を表示装置に表示する表示手段と、
前記モード設定手段により設定されたモードに応じて前記インデックス画面の表示を変更するよう前記表示手段を制御する制御手段とを備え、
前記制御手段は、前記再生モードにおいては前記第１の管理情報に基づいて前記ショットの内容を示す第１のインデックス画面を表示し、前記コピーモードにおいては前記第２の管理情報に基づいて前記ファイルの内容を示す第２のインデックス画面を表示するよう前記表示手段を制御することを特徴とする記録再生装置。
【請求項９】
前記再生モードにおいては前記第１のインデックス画面に表示された複数の前記ショットのうちの任意のショットを選択し、前記コピーモードにおいては前記第２のインデックス画面に表示された複数の前記ファイルのうちの任意のファイルを選択する操作手段を備え、
前記制御手段は、前記再生モードにおいては前記第１の管理情報と第２の管理情報とに基づいて前記操作手段により選択されたショットの動画像データを再生するよう前記再生手段を制御し、前記コピーモードにおいては前記第２の管理情報に基づいて前記操作手段により選択されたファイルの動画像データを再生するよう前記再生手段を制御することを特徴とする請求項８に記載の記録再生装置。
【請求項１０】
前記管理手段は、所定のファイルシステムに従って前記動画像データを前記ファイル単位に管理し、前記所定のサイズは前記ファイルシステムにより規定されたサイズであることを特徴とする請求項８または９に記載の記録再生装置。
【請求項１１】
前記他の記録媒体を備える外部ストレージ装置を接続するためのインターフェースを備え、
前記コピーモードにおいては、前記インターフェースにより前記再生されたファイルの動画像データを前記外部ストレージ装置に送信して前記他の記録媒体に記録することを特徴とする請求項８〜１０の何れか１項に記載の記録再生装置。
【請求項１２】
前記表示手段は、前記第１のインデックス画面においては前記ショット毎にサムネイル画像を表示し、前記第２のインデックス画面においては前記ファイル毎にサムネイル画像を表示することを特徴とする請求項８〜１１の何れか１項に記載の記録再生装置。
【請求項１３】
動画像データを記録媒体に記録する記録工程と、
前記記録媒体から前記動画像データを再生する再生工程と、
前記記録媒体に記録された動画像データを再生する再生モードと、前記記録媒体に記録された動画像データを他の記録媒体に記録するコピーモードとの間でモードを設定するモード設定工程と、
前記記録媒体に記録された動画像データに係るインデックス画面を表示装置に表示する表示工程と、
前記モード設定工程において設定されたモードに応じて前記インデックス画面の表示を変更するよう前記表示工程における処理を制御する制御工程とを備え、
前記制御工程においては、前記再生モードにおいては記録開始の指示から記録停止の指示までの間に記録された前記動画像データからなるショットを単位としてその内容を示す第１のインデックス画面を表示し、前記コピーモードにおいては一つの前記ショットを構成する一つまたは複数のファイルを単位としてその内容を示す第２のインデックス画面を表示するよう前記表示工程における処理を制御することを特徴とする記録再生方法。
【請求項１４】
前記再生モードにおいては前記第１のインデックス画面に表示された複数の前記ショットのうちの任意のショットを選択し、前記コピーモードにおいては前記第２のインデックス画面に表示された複数の前記ファイルのうちの任意のファイルを選択する操作工程を備え、
前記制御工程においては、前記再生モードにおいては前記操作工程において選択されたショットの動画像データを再生するよう前記再生工程における処理を制御する制御し、前記コピーモードにおいては前記操作工程において選択されたファイルの動画像データを再生するよう前記再生工程における処理を制御することを特徴とする請求項１３に記載の記録再生方法。
【請求項１５】
前記他の記録媒体を備える外部ストレージ装置を接続するためのインターフェースを備え、
前記コピーモードにおいては、前記インターフェースにより前記再生されたファイルの動画像データを前記外部ストレージ装置に送信して前記他の記録媒体に記録することを特徴とする請求項１３または１４に記載の記録再生方法。
【請求項１６】
前記制御工程においては、前記他の記録媒体の容量が、前記記録媒体の容量より大きい場合には、前記コピーモードにおいても、前記第１のインデックス画面を表示するように制御することを特徴とする請求項１３〜１５の何れか１項に記載の記録再生方法。
【請求項１７】
前記制御工程においては、一つの前記ショットの動画像データの容量が前記他の記録媒体の容量よりも少ない場合、前記コピーモードにおいても前記第１のインデックス画面を表示するように制御することを特徴とする請求項１３〜１５の何れか１項に記載の記録再生方法。
【請求項１８】
前記制御工程においては、前記第２のインデックス画面において、一つの前記ショットに含まれる一つまたは複数のファイルの情報を他のショットと識別可能な様に表示するように制御することを特徴とする請求項１３〜１７の何れか１項に記載の記録再生方法。
【請求項１９】
前記表示工程においては、前記第１のインデックス画面においては前記ショットのサムネイル画像を表示し、前記第２のインデックス画面においては前記ファイルのサムネイル画像を表示し、
前記制御工程においては、前記一つのショットに含まれる複数のファイルのサムネイル画像のうち、前記ショットの先頭のファイルのサムネイル画像を他のファイルのサムネイル画像と識別可能な様に表示するように制御することを特徴とする請求項１８に記載の記録再生方法。
【請求項２０】
動画像データを記録媒体に記録する記録工程と、
記録開始の指示から記録停止の指示までの間に記録された一連の前記動画像データからなるショットを単位として前記動画像データを管理するための第１の管理情報と、所定のサイズ以下のファイルを単位として前記動画像データを管理するための第２の管理情報とに基づいて前記記録媒体に記録された動画像データを管理する管理工程と、
前記記録媒体から前記動画像データを再生する再生工程と、
前記記録媒体に記録された動画像データを再生する再生モードと、前記記録媒体に記録された動画像データを他の記録媒体に記録するコピーモードとの間でモードを設定するモード設定工程と、
前記記録媒体に記録された動画像データに係るインデックス画面を表示装置に表示する表示工程と、
前記モード設定工程において設定されたモードに応じて前記インデックス画面の表示を変更するよう前記表示工程における処理を制御する制御工程とを備え、
前記制御工程においては、前記再生モードにおいては前記第１の管理情報に基づいて前記ショットの内容を示す第１のインデックス画面を表示し、前記コピーモードにおいては前記第２の管理情報に基づいて前記ファイルの内容を示す第２のインデックス画面を表示するよう前記表示工程における処理を制御することを特徴とする記録再生方法。
【請求項２１】
前記再生モードにおいては前記第１のインデックス画面に表示された複数の前記ショットのうちの任意のショットを選択し、前記コピーモードにおいては前記第２のインデックス画面に表示された複数の前記ファイルのうちの任意のファイルを選択する操作工程を備え、
前記制御工程においては、前記再生モードにおいては前記第１の管理情報と第２の管理情報とに基づいて前記操作工程において選択されたショットの動画像データを再生するよう前記再生工程における処理を制御し、前記コピーモードにおいては前記第２の管理情報に基づいて前記操作工程において選択されたファイルの動画像データを再生するよう前記再生工程における処理を制御することを特徴とする請求項２０に記載の記録再生方法。
【請求項２２】
前記管理工程においては、所定のファイルシステムに従って前記動画像データを前記ファイル単位に管理し、前記所定のサイズは前記ファイルシステムにより規定されたサイズであることを特徴とする請求項２０または２１に記載の記録再生方法。
【請求項２３】
前記他の記録媒体を備える外部ストレージ装置を接続するためのインターフェースを備え、
前記コピーモードにおいては、前記インターフェースにより前記再生されたファイルの動画像データを前記外部ストレージ装置に送信して前記他の記録媒体に記録することを特徴とする請求項２０〜２２の何れか１項に記載の記録再生方法。
【請求項２４】
前記表示工程においては、前記第１のインデックス画面においては前記ショット毎にサムネイル画像を表示し、前記第２のインデックス画面においては前記ファイル毎にサムネイル画像を表示することを特徴とする請求項２０〜２３の何れか１項に記載の記録再生方法。
【請求項２５】
動画像データを記録媒体に記録する記録工程と、
前記記録媒体から前記動画像データを再生する再生工程と、
前記記録媒体に記録された動画像データを再生する再生モードと、前記記録媒体に記録された動画像データを他の記録媒体に記録するコピーモードとの間でモードを設定するモード設定工程と、
前記記録媒体に記録された動画像データに係るインデックス画面を表示装置に表示する表示工程と、
前記モード設定工程において設定されたモードに応じて前記インデックス画面の表示を変更するよう前記表示工程における処理を制御する制御工程とをコンピュータに実行させるプログラムであって、
前記制御工程においては、前記再生モードにおいては記録開始の指示から記録停止の指示までの間に記録された前記動画像データからなるショットを単位としてその内容を示す第１のインデックス画面を表示し、前記コピーモードにおいては一つの前記ショットを構成する一つまたは複数のファイルを単位としてその内容を示す第２のインデックス画面を表示するよう前記表示工程における処理を制御するようにコンピュータに実行させることを特徴とするプログラム。
【請求項２６】
動画像データを記録媒体に記録する記録工程と、
記録開始の指示から記録停止の指示までの間に記録された一連の前記動画像データからなるショットを単位として前記動画像データを管理するための第１の管理情報と、所定のサイズ以下のファイルを単位として前記動画像データを管理するための第２の管理情報とに基づいて前記記録媒体に記録された動画像データを管理する管理工程と、
前記記録媒体から前記動画像データを再生する再生工程と、
前記記録媒体に記録された動画像データを再生する再生モードと、前記記録媒体に記録された動画像データを他の記録媒体に記録するコピーモードとの間でモードを設定するモード設定工程と、
前記記録媒体に記録された動画像データに係るインデックス画面を表示装置に表示する表示工程と、
前記モード設定工程において設定されたモードに応じて前記インデックス画面の表示を変更するよう前記表示工程における処理を制御する制御工程とをコンピュータに実行させるプログラムであって、
前記制御工程においては、前記再生モードにおいては前記第１の管理情報に基づいて前記ショットの内容を示す第１のインデックス画面を表示し、前記コピーモードにおいては前記第２の管理情報に基づいて前記ファイルの内容を示す第２のインデックス画面を表示するよう前記表示工程における処理を制御するようにコンピュータに実行させることを特徴とするプログラム。
【請求項２７】
請求項２５または２６に記載のプログラムを記憶したことを特徴とするコンピュータ読み取り可能な記憶媒体。
【発明の詳細な説明】
【技術分野】
【０００１】
本発明は記録再生装置及び記録再生方法に関し、特に、ランダムアクセス可能である光ディスクやフラッシュメモリカード、大容量のハードディスクドライブなどを記録媒体とする装置に用いて好適な技術に関する。
【背景技術】
【０００２】
近年のビデオレコーダ、デジタルビデオカメラ等のビデオ機器においては、従来の磁気テープに代えて、ランダムアクセスメディアを記録媒体として用いることが一般的になっている。
【０００３】
代表的なランダムアクセスメディアとしては、ＤＶＤ（Digital Versatile Disc）や、ＳＤメモリカード等のフラッシュメモリカード、ハードディスクドライブ等が発売されている（例えば、特許文献１参照）。
【０００４】
これらのランダムアクセスメディアを用いたビデオ機器では、記録された映像の検索が容易であり、また、指定した映像を迅速に再生することができる。また、記録時にそれ以前に記録した内容を上書きしてしまう心配がない等、ビデオテープ等のような従来の記録媒体と比較して、使い勝手が大幅に向上していることが大きな特徴となっている。
【０００５】
これらのビデオ機器では、記録されているコンテンツは「タイトル」、「ショット」など所定の単位で管理されている。そして、再生中にスキップボタンを押したり、コンテンツの一覧表示であるインデックス画面で直接所望のコンテンツを指定したりすることにより、それぞれのコンテンツを先頭から容易に再生することが可能となっている。
【０００６】
また、３０ギガバイト〜６０ギガバイトの大容量ハードディスクドライブを搭載した機器も登場している。この種の機器では、映像データを９メガビット／秒という高いレートで記録した場合でも７．５時間〜１５時間の長時間記録が可能になっている。また、近年ではさらに、ハイビジョン映像を１５メガビット／秒という高いレートで４．５時間〜９時間記録可能なビデオカメラも実現している。
【０００７】
以上のようなビデオカメラでは、ＭＰＥＧ２もしくはＨ．２６４によって圧縮符号化した映像・音声データのストリーム（符号列）をパソコンと互換性のあるファイルシステム（例えばＦＡＴ３２）に従うファイル形式で記録される。この場合、使用者による撮影開始から撮影停止までの区切り（ショット）を１つのファイルとして記録（管理）する方式が一般的である。
【０００８】
しかしながら、このようなビデオカメラ機器で一般的に用いられているＦＡＴ３２ファイルシステムは、ファイルサイズが４ギガバイトまでと決められている。また、ファイルシステムの制御ソフトウェアが、３２ビットの符号付き変数でファイルサイズを管理する構造になっている場合は、２ギガバイトまでのファイルしか作成できない。
【０００９】
このため、例えば２ギガバイトまでのシステムでは、前述の様に９メガビット／秒のレートで動画データを記録した場合、約３１分以上の連続撮影を行うと１ショットが２つ以上のファイルに跨って記録されることとなる。
【００１０】
【特許文献１】特開２００７−１２４５３８号公報
【発明の開示】
【発明が解決しようとする課題】
【００１１】
前述のように、２ギガバイト毎に異なるファイルに分割されて記録された１ショットの動画像データを再生する際に、ユーザはファイル毎に再生する動画像データを選択する必要があり、不便であった。そこで、一つのショットが複数のファイルで構成されている場合であっても、再生時にはショット毎、或いはタイトル毎に動画像データを選択できるようにすることが考えられる。
【００１２】
しかしながら、その場合、各ショットを構成するファイルがわからない。このため、記録した動画像データを外部のＤＶＤやパソコン等にバックアップする場合に、目的のコンテンツ（ファイル）をバックアップするためには、どのファイルをバックアップすればよいか等が非常にわかりにくくなるという問題があった。
【００１３】
本発明は前述の問題点に鑑み、ユーザがコンテンツを再生したり、バックアップ保存したりするためのコンテンツ選択画面を表示する際に、使用状況に適したインデックス画面を表示できるようにすることを目的としている。
【課題を解決するための手段】
【００１４】
本発明の記録再生装置は、動画像データを記録媒体に記録する記録手段と、前記記録媒体から前記動画像データを再生する再生手段と、前記記録媒体に記録された動画像データを再生する再生モードと、前記記録媒体に記録された動画像データを他の記録媒体に記録するコピーモードとの間でモードを設定するモード設定手段と、前記記録媒体に記録された動画像データに係るインデックス画面を表示装置に表示する表示手段と、前記モード設定手段により設定されたモードに応じて前記インデックス画面の表示を変更するよう前記表示手段を制御する制御手段とを備え、前記制御手段は、前記再生モードにおいては記録開始の指示から記録停止の指示までの間に記録された前記動画像データからなるショットを単位としてその内容を示す第１のインデックス画面を表示し、前記コピーモードにおいては一つの前記ショットを構成する一つまたは複数のファイルを単位としてその内容を示す第２のインデックス画面を表示するよう前記表示手段を制御することを特徴とする。
また、本発明の記録再生装置の他の特徴とするところは、動画像データを記録媒体に記録する記録手段と、記録開始の指示から記録停止の指示までの間に記録された一連の前記動画像データからなるショットを単位として前記動画像データを管理するための第１の管理情報と、所定のサイズ以下のファイルを単位として前記動画像データを管理するための第２の管理情報とに基づいて前記記録媒体に記録された動画像データを管理する管理手段と、前記記録媒体から前記動画像データを再生する再生手段と、前記記録媒体に記録された動画像データを再生する再生モードと、前記記録媒体に記録された動画像データを他の記録媒体に記録するコピーモードとの間でモードを設定するモード設定手段と、前記記録媒体に記録された動画像データに係るインデックス画面を表示装置に表示する表示手段と、前記モード設定手段により設定されたモードに応じて前記インデックス画面の表示を変更するよう前記表示手段を制御する制御手段とを備え、前記制御手段は、前記再生モードにおいては前記第１の管理情報に基づいて前記ショットの内容を示す第１のインデックス画面を表示し、前記コピーモードにおいては前記第２の管理情報に基づいて前記ファイルの内容を示す第２のインデックス画面を表示するよう前記表示手段を制御することを特徴とする。
【００１５】
本発明の記録再生方法は、動画像データを記録媒体に記録する記録工程と、前記記録媒体から前記動画像データを再生する再生工程と、前記記録媒体に記録された動画像データを再生する再生モードと、前記記録媒体に記録された動画像データを他の記録媒体に記録するコピーモードとの間でモードを設定するモード設定工程と、前記記録媒体に記録された動画像データに係るインデックス画面を表示装置に表示する表示工程と、前記モード設定工程において設定されたモードに応じて前記インデックス画面の表示を変更するよう前記表示工程における処理を制御する制御工程とを備え、前記制御工程においては、前記再生モードにおいては記録開始の指示から記録停止の指示までの間に記録された前記動画像データからなるショットを単位としてその内容を示す第１のインデックス画面を表示し、前記コピーモードにおいては一つの前記ショットを構成する一つまたは複数のファイルを単位としてその内容を示す第２のインデックス画面を表示するよう前記表示工程における処理を制御することを特徴とする。
また、本発明の記録再生方法の他の特徴とするところは、動画像データを記録媒体に記録する記録工程と、記録開始の指示から記録停止の指示までの間に記録された一連の前記動画像データからなるショットを単位として前記動画像データを管理するための第１の管理情報と、所定のサイズ以下のファイルを単位として前記動画像データを管理するための第２の管理情報とに基づいて前記記録媒体に記録された動画像データを管理する管理工程と、前記記録媒体から前記動画像データを再生する再生工程と、前記記録媒体に記録された動画像データを再生する再生モードと、前記記録媒体に記録された動画像データを他の記録媒体に記録するコピーモードとの間でモードを設定するモード設定工程と、前記記録媒体に記録された動画像データに係るインデックス画面を表示装置に表示する表示工程と、前記モード設定工程において設定されたモードに応じて前記インデックス画面の表示を変更するよう前記表示工程における処理を制御する制御工程とを備え、前記制御工程においては、前記再生モードにおいては前記第１の管理情報に基づいて前記ショットの内容を示す第１のインデックス画面を表示し、前記コピーモードにおいては前記第２の管理情報に基づいて前記ファイルの内容を示す第２のインデックス画面を表示するよう前記表示工程における処理を制御することを特徴とする。
【００１６】
本発明のプログラムは、動画像データを記録媒体に記録する記録工程と、前記記録媒体から前記動画像データを再生する再生工程と、前記記録媒体に記録された動画像データを再生する再生モードと、前記記録媒体に記録された動画像データを他の記録媒体に記録するコピーモードとの間でモードを設定するモード設定工程と、前記記録媒体に記録された動画像データに係るインデックス画面を表示装置に表示する表示工程と、前記モード設定工程において設定されたモードに応じて前記インデックス画面の表示を変更するよう前記表示工程における処理を制御する制御工程とをコンピュータに実行させるプログラムであって、前記制御工程においては、前記再生モードにおいては記録開始の指示から記録停止の指示までの間に記録された前記動画像データからなるショットを単位としてその内容を示す第１のインデックス画面を表示し、前記コピーモードにおいては一つの前記ショットを構成する一つまたは複数のファイルを単位としてその内容を示す第２のインデックス画面を表示するよう前記表示工程における処理を制御するようにコンピュータに実行させることを特徴とする。
また、本発明のプログラムの他の特徴とするところは、動画像データを記録媒体に記録する記録工程と、記録開始の指示から記録停止の指示までの間に記録された一連の前記動画像データからなるショットを単位として前記動画像データを管理するための第１の管理情報と、所定のサイズ以下のファイルを単位として前記動画像データを管理するための第２の管理情報とに基づいて前記記録媒体に記録された動画像データを管理する管理工程と、前記記録媒体から前記動画像データを再生する再生工程と、前記記録媒体に記録された動画像データを再生する再生モードと、前記記録媒体に記録された動画像データを他の記録媒体に記録するコピーモードとの間でモードを設定するモード設定工程と、前記記録媒体に記録された動画像データに係るインデックス画面を表示装置に表示する表示工程と、前記モード設定工程において設定されたモードに応じて前記インデックス画面の表示を変更するよう前記表示工程における処理を制御する制御工程とをコンピュータに実行させるプログラムであって、前記制御工程においては、前記再生モードにおいては前記第１の管理情報に基づいて前記ショットの内容を示す第１のインデックス画面を表示し、前記コピーモードにおいては前記第２の管理情報に基づいて前記ファイルの内容を示す第２のインデックス画面を表示するよう前記表示工程における処理を制御するようにコンピュータに実行させることを特徴とする。
【発明の効果】
【００１７】
本発明によれば、通常再生モード時には、再生すべき動画像データをシーン毎に選択するインデックス画面を表示する。また、他の記録媒体に動画像データを記録するダビングモード時には、各シーンにおけるファイル毎に再生すべき画像データを選択するためのインデックス画面を表示するようにした。これにより、使い勝手の良いコンテンツ選択画面をユーザに提供することができる。
【発明を実施するための最良の形態】
【００１８】
（第１の実施形態）
以下、本発明をビデオカメラで応用した第１の実施形態について図面を用いて説明する。
図１は本実施形態のビデオカメラの概略構成を示すブロック図である。本実施形態のビデオカメラでは、後述の様に、記録開始の指示から記録停止の指示までの間に記録された一連の動画像データを一つのショットとして管理する。
図１において、１０１は被写体を取り込む撮影レンズ、１０２は撮像素子への光量を制御する絞り、１０３は取り込んだ被写体を画像信号に変換する撮像素子である。
【００１９】
１０４は撮像素子１０３から出力される画像信号をサンプルホールドし、適正な信号レベルにするＣＤＳ／ＡＧＣ、１０５は前記ＣＤＳ／ＡＧＣからの画像信号をＡ／Ｄ変換し、デジタル信号処理を行うデジタル信号処理部である。
【００２０】
１０６はデジタル信号処理部１０５から出力される生データを１フレーム分ずつ蓄積するフレームメモリ、１０７は前記フレームメモリの画素をＨ．２６４方式での記録ができるように、適切な画素数を調整する画素数調整部である。
【００２１】
１０８は各ブロック間の画像データ、及び音声データ行き来する画像／音声データバス、１０９は、前記画像データとともにハードディスクドライブまたはＳＤメモリカードに記録される音声を集音するマイクロフォンである。
【００２２】
１１０は前記マイクロフォンからの音声信号を適当なレベルまで増幅する増幅器、１１１は、前記増幅された音声信号をＡ／Ｄ変換するＡ／Ｄコンバータである。１１２は、再生モード時にはＨ．２６４コーデック１１４からの再生画像データを表示し、撮影時には撮像素子１０３で撮像された映像を表示する液晶パネルである。本実施形態においては、ハードディスクドライブ１１９等の記録媒体に記録された動画像データを再生する再生モードと、前記記録媒体に記録された動画像データを他の記録媒体に記録するコピーモードとの間でモード設定を行うことが可能に構成されている。
【００２３】
１１３は前記液晶パネルを駆動する液晶ドライバ、１１４は画像／音声データバス１０８からのデジタル動画像信号をＭＰＥＧ２方式より圧縮効率が高いＨ．２６４方式による圧縮符号化するＨ．２６４コーデックである。Ｈ．２６４コーデック１１４は、ハードディスクドライブ１１９またはＳＤメモリカード１２１に記録されたＨ．２６４圧縮データを伸長する。
【００２４】
１１５は、Ｈ．２６４コーデック１１４から出力される圧縮符号化データを、ハードディスクドライブ１１９またはＳＤメモリカード１２１に記録する前に一時的に記録・保持するストリームバッファである。
【００２５】
１１６は、Ｈ．２６４エンコーダからのアナログ映像信号を出力するビデオ出力端子である。１１７は、液晶パネル１１２で表示されるものと同一の画像をアナログ化し、ビデオ出力端子１１６に出力するＮＴＳＣエンコーダである。
【００２６】
１１８は、ハードディスクドライブ１１９に対してデータの読み書きを行うＡＴＡインターフェースである。ハードディスクドライブ１１９は、画像／音声データバス１０８からのＨ．２６４方式の画像データを記録するための記録媒体である。一般に、装置本体に対して脱着が不可能に取り付けられている。
【００２７】
１２０は、ＳＤメモリカード１２１に対してデータの読み書きを行うＳＤカードドライバである。ＳＤメモリカード１２１は第２の記録媒体として配設されている。ユーザは、ハードディスクドライブ１１９とメモリカード１２１の何れかを選択して、動画像データを記録再生することができる。また、メモリカード１２１は、不図示のカードスロットに対して容易に装着、排出可能である。
【００２８】
１２２は、本実施形態のビデオカメラと外部機器とを接続するためのインターフェースとして機能するＵＳＢ端子である。ＵＳＢインターフェース１２３は、ハードディスクドライブ１１９またはＳＤメモリカード１２１に記録されたＨ．２６４方式の画像データファイル等のファイル形式の記録データを、他の記録媒体を備える外部ストレージ装置などの外部機器に出力する。また、ＵＳＢインターフェース１２３は、外部機器から送信された画像データを受信する。
【００２９】
１２４は、使用者が本体に対する操作を行うための操作キーである。１２５は、機器全体のモードを制御したり、操作キー１２４を検出して各種機能の実行を制御したりするメインマイコンである。１２６はＲＡＭであり、メインマイコン１２５が一時的なデータを保管するためのものである。
【００３０】
１２７はＥＥＰＲＯＭ（不揮発性メモリ）であり、メインマイコン１２５の所定の状態を記憶するためのものである。１２８は、メインマイコン１２５から出力される制御信号や、操作キー１２４からの制御信号が行き来する制御信号バスである。
【００３１】
図２は、本実施形態のビデオカメラの概要を示す図である。
図２において、２０１はビデオカメラ本体、２０２はビデオカメラ本体２０１に内蔵される固定式記録媒体であり、ハードディスクドライブ１１９に対応する。２０３はビデオ出力端子、２０４はＵＳＢ端子である。２０５は脱着可能な記録媒体であり、前述したＳＤメモリカード１２１に対応する。
【００３２】
以上の構成において、本実施形態のビデオカメラの動作について説明する。なお、以下の説明では、ユーザが記録或いは再生する記録媒体としてハードディスクドライブ１１９を選択した場合について説明する。ユーザがメモリカード１２１を選択した場合も、記録再生の対象がハードディスクドライブ１１９からメモリカード１２１に変わるだけで、その基本的な処理には変更は無い。
図３は、本実施形態のビデオカメラに内蔵されているハードディスクドライブ１１９に記録されたコンテンツの例を示す図である。
【００３３】
図３において、３０１乃至３０８はショットを示している。３０９は記録コンテンツを通常の全コンテンツ再生モードで再生を行った場合のシーケンスを示す図である。図３に示したように、コンテンツに付与されている通し番号の順に再生が行われることを示している。また、３０９における各コンテンツに対応するブロックの長さは、各コンテンツの時間的な長さを示している。
【００３４】
本実施形態では、ユーザ操作による撮影開始の指示から撮影終了の指示までの間に記録される一連の動画像データ（コンテンツ）を一つのショットとして管理する。本実施形態では、後述の様に、ファイルシステム情報とは別に、記録された動画像データをショット単位で管理するための管理データ（第１の管理情報）を生成し、この管理データによって記録されたショットを管理する。また、本実施形態では、ハードディスクドライブ１１９のファイルシステムはＦＡＴ３２であり、ファイルサイズが２ＧＢを越える場合は、動画像の記録開始操作から記録停止操作までの１ショットが複数のファイルに分割されて記録される。そして、ＦＡＴ３２に従って各ファイルを管理するためのファイルシステム情報を生成してハードディスクドライブ１１９に記録する。ハードディスクドライブ１１９に記録される各ファイルは、このファイルシステム情報に従って、ファイルシステムによって規定された所定のサイズ以下のファイルを単位として、ファイル単位で管理するための管理データ（第２の管理情報）を生成して管理される。ファイルシステム情報によって管理されるファイルは、動画像データのファイルだけでなく、後述のタイムマップファイルやプレイリストファイル（管理データ）も含まれている。このファイルシステム情報を格納したファイルは、ハードディスクドライブ１１９の所定のセクタに記録される。
【００３５】
図１において、操作キー１２４により撮影開始の指示があると、前述の如く符号化された動画像データをハードディスクドライブ１１９に記録する。このとき、メインマイコン１２５は撮影開始時の先頭画面を抽出してサムネイル画像データを作成し、これをハードディスクドライブ１１９に記録する。すなわち、ファイルの中の動画像から静止画を切り出してファイルサムネイルを生成して記録媒体に記録するファイルサムネイル生成処理が行われる。
【００３６】
以下、動画像データの記録を継続した状態で、記録開始からの動画像データのデータ量が２ギガバイトに近くなると、ハードディスクドライブ１１９は現在記録中の動画像データを格納したファイルをクローズし、新たにファイルをオープンする。そして、新たにオープンしたファイルに動画像データを格納して記録を続行する。
【００３７】
また、ハードディスクドライブ１１９は、ファイル分割を行うと、メインマイコン１２５に対して、ファイルを分割する旨を出力する。メインマイコン１２５は、ハードディスクドライブ１１９からファイル分割の情報を受けると、新たなファイルに格納される動画像データの先頭画面を抽出する。そして、新たなファイルのサムネイル画像データを作成してハードディスクドライブ１１９に記録する。
【００３８】
以下、動画像データの記録中に、ファイルのサイズが２ギガバイト近傍に達する度にハードディスクドライブ１１９により新たなファイルが作成される。そして、メインマイコン１２５により各ファイルのサムネイル画像データが生成されてハードディスクドライブ１１９に記録される。また、撮影停止の指示があると、ハードディスクドライブ１１９に対する動画像データの記録を停止する。
【００３９】
一方、メインマイコン１２５は、本実施形態のビデオカメラで初めて撮影する際に、撮影開始から撮影停止までの間にハードディスクドライブ１１９に記録した一連の動画像データを一つのショットとして管理するための管理データを生成する。そして、ハードディスクドライブ１１９に記録する。このとき、一つのショットが複数のファイルから構成されていた場合、そのショットを構成するファイルの情報が管理データに格納される。また、ショットの動画像中の一画面を抽出する。そして、この一画面の画像データからサムネイル画像データを生成し、このショットのサムネイル画像として記録する。
そして、その後、一つのショットを撮影する度に、この撮影したショットに関する情報を管理データに追加するよう、その内容を更新する。
【００４０】
図３のコンテンツの例では、ショット００２、ショット００４、ショット００５が複数のファイルによって構成されていることを示している。また、再生中に前記複数のファイルの境目をまたぐ場合、動画像のフレーム表示が滞らないようにするシームレス再生が行われるため、ユーザはショットが複数のファイルで構成されていることを特段意識することはない。図３では、各ショットの先頭画像をサムネイルとして示している。また、図３におけるＡ乃至Ｈの文字は説明のための記号であり、前記サムネイル画像の一部ではない。
【００４１】
図４は、ハードディスクドライブ１１９における図３に示したショット群のファイル形式を示す図である。
図４において、４０１はハードディスクドライブ１１９内のルートフォルダ、４０２、４０３はショットに関する情報ファイル全体を格納するＶＩＤＥＯ、ＨＤＭＶフォルダである。
【００４２】
４０４はショットの管理情報のバックアップを格納するＢＡＫディレクトリ、４０５はＴＭＡＰフォルダであり、動画をサーチ再生する場合に用いる。ＴＭＡＰフォルダ４０５は、Ｈ．２６４によるストリームファイルのイントラフレームの先頭アドレスの位置と撮影時間の情報の一覧が格納されているタイムマップデータであるＴＩＭファイル群を格納する。なお、このＴＩＭファイルは、一つのショットの記録中、マイコン１２５により随時更新、生成され、ショットの記録終了に応じてハードディスクドライブ１１９に記録される。
【００４３】
４０６乃至４１７は、ストリームファイルと１対１で記録される、前記ＴＩＭファイルである。４１８は、前記ショットと、ストリームファイルの関連を記述した管理データとしてのプレイリスト（ＰＬＳ）ファイルを格納するＰＬＩＳＴフォルダである。
【００４４】
４１９はＰＬＳファイル、４２０はストリームファイル群を格納するＭＯＶＩＥフォルダである。４２１乃至４３２は、前記Ｈ．２６４による圧縮符号化された動画データ（ストリーム）の実体がファイル形式として記録されているＭＯＶファイルである。
【００４５】
４３３はショット全体の数などの管理情報が記述されているＡＤＭＩＮ．ＨＤＭファイルであり、４３４はショットの再生メニューに関する情報が記述されているＭＥＮＵ．ＨＤＭファイルである。
【００４６】
以上のコンテンツが記録されているビデオカメラにおいて、ユーザが一連のコンテンツを再生するために、本体を再生モードにすると、メインマイコン１２５は、ＰＬＳファイル４１９とファイルシステム情報をハードディスクドライブ１１９から読み出す。そして、ＲＡＭ１２６に格納する。そして、このＰＬＳファイル４１９に基づいて、ハードディスクドライブ１１９から各ショットのサムネイル画像データを再生する。そして、図５に示す再生用インデックス画面を生成し、液晶パネル１１２に表示する。
【００４７】
図５において、５０１乃至５０８は、図３における３０１乃至３０８に対応するショットを指すサムネイルであって、ユーザがサムネイルを選択し、再生操作することにより、所望のショットを容易に再生することができる。
即ち、メインマイコン１２５は、ＰＬＳファイル４１９に基づいて、選択されたショットを構成するファイルを検出する。そして、先頭のファイルから再生を開始するよう、ハードディスクドライブ１１９に指示する。ハードディスクドライブ１１９は、ファイルシステム情報に基づいて指定されたファイルを再生し、コーデック１１４に出力する。そして、コーデック１１４によりデコードされた動画像データが液晶ドライバ１１３に送られ、再生された動画像が液晶パネル１１２に表示される。
【００４８】
また、一つのショットが複数のファイルで構成されていた場合、マイコン１２５は、現在再生中のファイルの再生終了が近づくと、次のファイルを再生するよう、ハードディスクドライブ１１９に指示する。この様に、再生停止の指示があるまで、順次動画像データが再生される。
【００４９】
また、本実施形態のビデオカメラでは、ハードディスクドライブ１１９に記録されているコンテンツをＳＤメモリカード１２１にコピー可能なコピーモードを持つ。このコピーモードでは、高速かつ高画質にコピーが行えるようにするのがよい。本実施形態においては、ハードディスクドライブ１１９に記録された各動画像データのファイルをデコードすること無く、ファイルの状態でコピーを行う。
【００５０】
ユーザが本体をコピーモードに設定すると、マイコン１２５は、ハードディスクドライブ１１９に記録されたファイルシステム情報に基づき、ハードディスクドライブ１１９に記録された各ショットのファイルを検出する。そして、検出したファイルの情報に基づいて、液晶パネル１１２に、図６に示すコピーモード用インデックス画面を表示する。
【００５１】
このとき、各ショットの先頭のファイルについては、ショットのサムネイル画像データが記録されているため、このサムネイル画像データをハードディスクドライブ１１９から再生し、サムネイル画像を表示する。また、各ショットの先頭以外のファイルについては、サムネイル画像データが記録されていないため、ショット番号と、そのショットにおける各ファイルの位置を示す情報を表示する。
【００５２】
例えば、図６において、６０１、６０２、６０４、６０５、６０８、６１０、６１１、６１２は、各ショットの先頭のファイルであるため、サムネイル画像とショット番号、及びショット内のファイルの位置の情報（Ａ−１など）を表示する。また、６０３、６０６、６０７、６０９は先頭のファイルではないので、ショット名とファイルの位置の情報を表示する。
【００５３】
このインデックス画面では、前述のようにファイルコピーによるコンテンツコピーであることと、コピー先のＳＤメモリカード１２１の容量が、前述の最大ファイルサイズである２ＧＢであった場合の利便性を考慮し、ファイル単位によるサムネイルが表示される。
【００５４】
図６において、６０１乃至６１２は、図４における４２１乃至４３２のＭＯＶファイルに対応するサムネイルであって、ユーザがサムネイルを選択し、コピー操作をすることにより、選択されたコンテンツを容易にコピーすることができる。
【００５５】
図６のインデックス画面を利用してユーザがコピーしたいファイルを選択し、コピーを指示すると、メインマイコン１２５は、ハードディスクドライブ１１９から選択されたファイルのデータを順次読み出す。そして、ＳＤカードドライバ１２０を介してメモリカード１２１に書き込む。
【００５６】
そして、選択されたファイルを全てメモリカード１２１に記録すると、メモリカード１２１のファイルシステム情報及びプレイリストファイルの内容を変更する。具体的には、新たにメモリカード１２１に記録されたファイルの情報をファイルシステム情報に追加する。また、メモリカード１２１にコピーされた一つのファイルを一つのショットとして管理するよう、プレイリストファイルの内容を変更して、コピー動作を終了する。
【００５７】
この様に、本実施形態では、通常の再生モードにおいては、ショット単位で動画像データを管理するためのプレイリストファイルに基づいて、各ショットの内容を示すインデックス画面（第１のインデックス画面）を生成して表示する。また、コピーモードにおいては、ファイル単位で動画像データを管理するためのファイルシステム情報に基づいて、各ファイルの内容を示すインデックス画面（第２のインデックス画面）を生成して表示する。そのため、ユーザが目的とする機能に即した、使い勝手の良いインデックス画面を表示することができる。これにより、ユーザは再生モードにおいては第１のインデックス画面に表示された複数の前記ショットのうちの任意のショットを選択することができる。また、コピーモードにおいては第２のインデックス画面に表示された複数の前記ファイルのうちの任意のファイルを選択することができる。
【００５８】
なお、本実施形態では、コピーモード時のインデックス画面では、ファイル単位によるサムネイルを表示している。しかし、例えばコピー先のＳＤメモリカード１２１の容量が４ＧＢであり、最大ファイルサイズである２ＧＢのファイルでも複数コピーできる場合は、図７に示すように、コピー可能なファイルは１つにまとめたサムネイルで表示する構成としてもよい。
【００５９】
また、図８の８０１乃至８０３に示すように、ファイル単位によるサムネイルを表示するインデックス画面の場合に、１ショットを構成するファイルを明示する表示を加える構成としてもよい。
【００６０】
さらに、図９の９０１乃至９０８に示すように、ファイル単位によるサムネイルを表示するインデックス画面の場合に、ショットの先頭が含まれるファイルのサムネイルは相対的に大きく表示する構成としてもよい。また同様に、ショットの先頭が含まれるファイルのサムネイルに、ショットの先頭であることを識別できるマークを重畳して表示する構成としてもよい。
【００６１】
また、本実施形態は、コンテンツを内蔵のハードディスクドライブ１１９から着脱可能なＳＤメモリカード１２１へコピーする際の動作を説明した。すなわち、複数の記録媒体間においてコンテンツのコピーまたは移動を行う動作を説明した。しかし、コンテンツの移動、ＳＤメモリカード１２１からハードディスクドライブ１１９へのコピーや移動に関しても、ファイル単位によるサムネイルを表示するインデックス画面を表示して、操作対象のコンテンツをユーザに選択させる構成としてもよい。
【００６２】
コンテンツのコピーまたは移動は、制御手段として機能するメインマイコン１２５がＡＴＡインターフェース１１８及びＳＤカードドライバ１２０を制御して実現される。例えば、ハードディスクドライブ１１９に記録されているコンテンツをＳＤメモリカード１２１にコピー（移動）したり、或いはＳＤメモリカード１２１に記録されているコンテンツをハードディスクドライブ１１９にコピー（移動）したりすることが可能である。
【００６３】
（第２の実施形態）
本発明をビデオカメラで応用した第２の実施形態について図面を用いて説明する。図１０は、本実施形態のビデオカメラのブロック図である。
図１０において、１００１は被写体を取り込む撮影レンズ、１００２は撮像素子への光量を制御する絞り、１００３は、取り込んだ被写体を画像信号に変換する撮像素子である。
【００６４】
１００４は画像信号をサンプルホールドし、適正な信号レベルにするＣＤＳ／ＡＧＣである。１００５は、ＣＤＳ／ＡＧＣからの画像信号をＡ／Ｄ変換し、デジタル信号処理を行うデジタル信号処理部である。
【００６５】
１００６はデジタル信号処理部からの生データを１フレーム分ずつ蓄積するフレームメモリ、１００７はフレームメモリの画素をＨ．２６４方式での記録ができるように、適切な画素数を調整する画素数調整部である。
【００６６】
１００８は、各ブロック間の画像データ及び音声データが行き来する画像／音声データバス、１００９は、画像データとともにハードディスクドライブ１０１９に記録される音声を集音するマイクロフォンである。
【００６７】
１０１０はマイクロフォン１００９からの音声信号を適当なレベルまで増幅する増幅器、１０１１は、増幅された音声信号をＡ／Ｄ変換するＡ／Ｄコンバータである。１０１２は、再生モード時にはＨ．２６４コーデック１０１４からの再生画像データを表示し、撮影時には撮像素子１００３で撮像された映像を表示する液晶パネルである。
【００６８】
１０１３は液晶パネルを駆動する液晶ドライバ、１０１４は画像／音声データバス１００８からのデジタル画像信号を動画として、ＭＰＥＧ２方式より圧縮効率が高いＨ．２６４方式による圧縮符号化するＨ．２６４コーデックである。また、Ｈ．２６４コーデック１０１４は、ハードディスクドライブ１０１９に記録されたＨ．２６４圧縮データを伸長する。
【００６９】
１０１５は、Ｈ．２６４コーデック１０１４から出力される圧縮符号化データをハードディスクドライブ１０１９に記録する前に一時的に記録・保持するストリームバッファである。１０１６はＮＴＳＣエンコーダ１０１７出力されるアナログ映像信号を外部に出力するビデオ出力端子である。
【００７０】
ＮＴＳＣエンコーダ１０１７は、液晶パネル１０１２で表示されるものと同一の画像をアナログ化し、ビデオ出力端子１０１６に出力する。１０１８はハードディスクドライブ１０１９に対してデータの読み書きを行うＡＴＡインターフェースである。
【００７１】
ハードディスクドライブ１０１９は、画像／音声データバス１００８からのＨ．２６４方式の画像データを記録するための記録媒体である。一般に、装置本体に対して脱着が不可能に取り付けられている。１０２０はＵＳＢコントローラ１０２１からのデータを外部に出力するＵＳＢ端子である。
【００７２】
１０２１は、ハードディスクドライブ１０１９に記録されたＨ．２６４方式の画像データをそのまま外部に出力するＵＳＢコントローラである。１０２２は使用者が本体に対する操作を行うための操作キー、１０２３は機器全体のモードを制御したり、操作キー１０２２を検出したりして各種機能の実行を制御するメインマイコンである。
【００７３】
１０２４は、メインマイコンが一時的なデータを保管するＲＡＭ、１０２５はＥＥＰＲＯＭ（不揮発性メモリ）であり、メインマイコン１０２３の所定の状態を記憶する。１０２６は、メインマイコン１０２３から出力される制御信号や、操作キー１０２２から入力される制御信号が行き来する制御信号バスである。
【００７４】
図１１は、本実施形態のビデオカメラの概要を示す図である。図１１において、１１０１はビデオカメラ本体、１１０２はビデオカメラ本体１１０１に内蔵される、固定式記録媒体であるハードディスクドライブである。１１０３はビデオ出力端子、１１０４はＵＳＢ端子である。
【００７５】
１１０５は、ＵＳＢ端子１１０４でビデオカメラ本体１１０１と接続され、ビデオカメラ本体内の記録媒体に記録されているコンテンツをＤＶＤ１１０６にコピーするＤＶＤドライブである。ＤＶＤ１１０６は、ＤＶＤドライブ１１０５に装填され、ビデオカメラ本体１１０１から送られてくるデータを記録するメディアである。
【００７６】
以上の構成において、本実施形態のビデオカメラの動作について説明する。
本実施形態のハードディスクドライブ１０１９に記録されているコンテンツは、第１の実施形態の図３及び図４で説明されているコンテンツと同様である。
【００７７】
以上のコンテンツが記録されているビデオカメラにて、ユーザが一連のコンテンツを再生するために、本体を再生モードにすると、第１の実施形態と同様、メインマイコン１２５によりＰＬＳファイル４１９が再生される。そして、このＰＬＳファイル４１９に基づいて、各ショットのサムネイル画像データが再生され、液晶パネル１０１２に、図５に示す再生用インデックス画面が表示される。
【００７８】
図５において、５０１乃至５０８は、図３における３０１ないし３０８に対応するショットを指すサムネイルであって、ユーザがサムネイルを選択し、再生操作することにより、容易に所望のショットを再生することができる。
【００７９】
また、本実施形態のビデオカメラではＵＳＢ端子１１０４にＤＶＤドライブ１１０５を接続すると、ハードディスクドライブ１０１９に記録されているコンテンツをＤＶＤドライブ１１０５に装填したＤＶＤ１１０６にコピーする、ディスクコピーモードとなる。
【００８０】
コピーモードでは、高速かつ高画質にコピーが行える、ファイルコピーを行うこととし、再エンコードなどによるコピーは行わない。ユーザが本体をディスクコピーモードにすると、第１の実施形態と同様に動作する。すなわち、メインマイコン１２５は、ハードディスクドライブ１１９に記録されたファイルシステム情報に基づいて、液晶パネル１０１２に、図６に示すディスクコピーモード用インデックス画面を表示する。
【００８１】
図６のインデックス画面を利用してユーザがコピーしたいファイルを選択し、コピーを指示すると、メインマイコン１２５は、ハードディスクドライブ１１９から選択されたファイルのデータを順次読み出す。そして、読み出した画像データをＵＳＢコントローラ１０２１、ＵＳＢ端子１０２０を介してＤＶＤドライブ１１０５に送信する。このとき、ＤＶＤドライブ１１０５に対し、送信した画像データの書き込みを指示するコマンドも送信する。
そして、選択されたファイルを全てＤＶＤドライブ１１０５に送信すると、コピー動作を終了する。
【００８２】
ディスクコピーモード用インデックス画面では、前述のようにファイルコピーによるコンテンツコピーであることを考慮し、ファイル単位によるサムネイルが表示される。図６において、６０１乃至６１２は、図４における４２１乃至４３２のＭＯＶファイルに対応するサムネイルであって、ユーザがサムネイルを選択し、コピー操作をすることにより、所望のコンテンツを容易にコピーすることができる。
【００８３】
なお、本実施形態では、コピーモード時のインデックス画面では、ファイル単位によるサムネイルを表示しているが、１２ｃｍのＤＶＤメディアの容量は４．７ＧＢである。したがって、最大ファイルサイズである２ＧＢのファイルでも複数コピーできるので、図７に示すように、コピー可能なファイルは１つにまとめたサムネイルで表示する構成としてもよい。
【００８４】
また、図８の８０１乃至８０３に示すように、ファイル単位によるサムネイルを表示するインデックス画面の場合に、１ショットを構成するファイルを明示する表示を加える構成としてもよい。
【００８５】
さらに、図９の９０１乃至９０８に示すように、ファイル単位によるサムネイルを表示するインデックス画面の場合に、ショットの先頭が含まれるファイルのサムネイル画面は相対的に大きく表示する構成としてもよい。また同様に、ショットの先頭が含まれるファイルのサムネイル近傍には、ショットの先頭であることを識別可能なマークを重畳して表示する構成としてもよい。
【００８６】
なお、本実施形態においては、内蔵のハードディスクドライブから外部に接続されているＤＶＤドライブ内のＤＶＤメディアへコンテンツをコピーする際の動作を説明した。しかし、コンテンツの移動に関しても、前述のようにファイル単位によるサムネイルを表示するインデックス画面によって操作対象のコンテンツをユーザに選択させる構成としてもよい。
【００８７】
次に、図１２のフローチャートを参照しながら本実施形態の記録再生装置の記録時の動作の一例を説明する。図１２は、メインマイコン１２５による記録時の処理を示すフローチャートである。
撮影開始の指示があると、図１２のフローがスタートする。
そして、ステップＳ１２０１において、前述の如く符号化された動画像データをハードディスクドライブ１１９に記録する。このとき、メインマイコン１２５は撮影開始時の先頭画面を抽出してサムネイル画像データを作成し、これをハードディスクドライブ１１９に記録する。
そして、ステップＳ１２０２で、撮影終了の指示の有無を判別する。
この結果、撮影終了の指示があった場合、動画像データの記録を停止し、ファイルをクローズして処理を終了する（ステップＳ１２０６）。
【００８８】
一方、撮影終了の指示が無い場合、動画像データの記録を継続した状態で、記録開始からの動画像データのデータ量が２ギガバイトに接近したか否かを判断する（ステップＳ１２０３）。この判断の結果、データ量が２ギガバイトに接近したらステップＳ１２０４に進み、ハードディスクドライブ１１９は現在記録中の動画像データを格納したファイルをクローズし、新たにファイルをオープンする。
【００８９】
次に、ステップＳ１２０５に進み、新たにオープンしたファイルに動画像データを格納してステップＳ１２０２に戻り、記録を続行する。また、メインマイコン１２５は、新たなファイルに格納される動画像データの先頭画面を抽出して、新たなファイルのサムネイル画像データを作成して、この新たなファイル内に格納してハードディスクドライブ１１９に記録する。
【００９０】
一方、ステップＳ１２０３の判断の結果、ファイルのデータ量が２ギガバイトに接近していない場合、そのまま動画像データの記録を継続する。
【００９１】
その後、前述したように、メインマイコン１２５は、撮影開始から撮影停止までの間にハードディスクドライブ１１９に記録した一連の動画像データを一つのショットとして管理するための管理データを生成してハードディスクドライブ１１９に記録する。
【００９２】
次に、図１３を参照しながら再生時の処理手順の一例を説明する。図１３は、メインマイコン１２５による再生時の処理を示すフローチャートである。
動作が開始されると、まず、ハードディスクドライブ１１９からファイルシステム情報とプレイリストファイルとを再生し、ＲＡＭ１２６に記憶する。ステップＳ１３０１において再生モードの種類が判断される。この判断の結果、通常再生の場合にはステップＳ１３０２に進み、通常再生用のインデックス画面が前述した液晶パネル１１２に表示される。
【００９３】
前述したように、液晶パネル１１２に表示されるインデックス画面は、図３における３０１乃至３０８に対応するショットを指すサムネイルである。インデックス画面に表示されたサムネイルの中からユーザがサムネイルを選択するとステップＳ１３０４に進み、選択されたサムネイルに対応するコンテンツの再生が行われる。したがって、ユーザが所望するショットを容易に再生することができる。
【００９４】
一方、ステップＳ１３０１の再生モード判断の結果、ダビングモード再生であった場合にはステップＳ１３０５に進み、図６に示すコピーモード用インデックス画面が液晶パネル１１２に表示される。
なお、本実施形態では、図１２において説明した様に、新たなファイルをオープンする度に、その先頭の画面をこのファイルのサムネイル画像データとしてハードディスクドライブ１１９に記録している。
そのため、図６における６０３、６０６、６０７、６０９については、ショット番号とファイルの位置だけでなく、各ファイルのサムネイル画像を表示する。
【００９５】
次に、ステップＳ１３０６において、サムネイルが選択されたか否かが判断される。この判断の結果、ユーザがサムネイルを選択してコピー操作をするとステップＳ１３０７に進み、選択されたコンテンツを指定の記録媒体にコピーする。コピー処理は前述の通りである。
【００９６】
ステップＳ１３０４またはステップＳ１３０７の処理が終了するとステップＳ１３０８に進み、再生終了か否かを判断する。この判断の結果、再生終了ではない場合にはステップＳ１３０１に戻って前述した処理を繰り返し行う。またステップＳ１３０８の判断の結果、再生終了の場合には再生処理を終了する。
【００９７】
（本発明に係る他の実施の形態）
前述した本発明の実施の形態における記録再生装置を構成する各手段は、コンピュータのＲＡＭやＲＯＭなどに記憶されたプログラムが動作することによって実現できる。このプログラム及び前記プログラムを記録したコンピュータ読み取り可能な記録媒体は本発明に含まれる。
【００９８】
また、本発明は、例えば、システム、装置、方法、プログラムもしくは記憶媒体等としての実施の形態も可能であり、具体的には、複数の機器から構成されるシステムに適用してもよいし、また、一つの機器からなる装置に適用してもよい。
【００９９】
なお、本発明は、前述した記録再生方法における各工程を実行するソフトウェアのプログラム（実施の形態では図１２、図１３に示すフローチャートに対応したプログラム）を、システムあるいは装置に直接、あるいは遠隔から供給する。そして、そのシステムあるいは装置のコンピュータが前記供給されたプログラムコードを読み出して実行することによっても達成される場合を含む。
【０１００】
したがって、本発明の機能処理をコンピュータで実現するために、前記コンピュータにインストールされるプログラムコード自体も本発明を実現するものである。つまり、本発明は、本発明の機能処理を実現するためのコンピュータプログラム自体も含まれる。
【０１０１】
その場合、プログラムの機能を有していれば、オブジェクトコード、インタプリタにより実行されるプログラム、ＯＳに供給するスクリプトデータ等の形態であってもよい。
【０１０２】
プログラムを供給するための記録媒体としては種々の記録媒体を使用することができる。例えば、フロッピー（登録商標）ディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ，ＤＶＤ−Ｒ）などがある。
【０１０３】
その他、プログラムの供給方法としては、クライアントコンピュータのブラウザを用いてインターネットのホームページに接続する。そして、前記ホームページから本発明のコンピュータプログラムそのもの、もしくは圧縮され自動インストール機能を含むファイルをハードディスク等の記録媒体にダウンロードすることによっても供給できる。
【０１０４】
また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【０１０５】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせる。そして、その鍵情報を使用することにより暗号化されたプログラムを実行してコンピュータにインストールさせて実現することも可能である。
【０１０６】
また、コンピュータが、読み出したプログラムを実行することによって、前述した実施の形態の機能が実現される他、コンピュータ上で稼動しているＯＳなどが、実際の処理の一部または全部を行うことによっても前述した実施の形態の機能が実現され得る。
【０１０７】
さらに、記録媒体から読み出されたプログラムが、コンピュータに挿入された機能拡張ボードやコンピュータに接続された機能拡張ユニットに備わるメモリに書き込まれる。その後、そのプログラムの指示に基づき、その機能拡張ボードや機能拡張ユニットに備わるＣＰＵなどが実際の処理の一部または全部を行い、その処理によっても前述した実施の形態の機能が実現される。
【図面の簡単な説明】
【０１０８】
【図１】第１の実施形態を示し、ビデオカメラの構成例を説明するブロック図である。
【図２】第１の実施形態を示し、ビデオカメラの概要を示す図である。
【図３】第１の実施形態及び第２の実施形態を示し、ハードディスクドライブのコンテンツを説明する図である。
【図４】第１の実施形態及び第２の実施形態を示し、ハードディスクドライブのコンテンツのファイル構成を示す図である。
【図５】第１の実施形態及び第２の実施形態を示し、再生用インデックス画面の表示例を示す図である。
【図６】第１の実施形態及び第２の実施形態を示し、コピーモード用インデックス画面の表示例を示す図である。
【図７】第１の実施形態及び第２の実施形態を示し、コピー可能なファイルは１つにまとめたサムネイルで表示する例を示す図である。
【図８】第１の実施形態及び第２の実施形態を示し、ファイル単位によるサムネイル表示例を示す図である。
【図９】第１の実施形態及び第２の実施形態を示し、ファイル単位によるサムネイルを表示するインデックス画面の表示例を示す図である。
【図１０】第２の実施形態を示し、ビデオカメラの構成例を説明するブロック図である。
【図１１】第２の実施形態を示し、ビデオカメラシステムの概要を示す図である。
【図１２】記録時の動作を説明するフローチャートである。
【図１３】再生時の動作を説明するフローチャートである。
【符号の説明】
【０１０９】
１０１  撮影レンズ
１０２  絞り
１０３  撮像素子
１０４  ＣＤＳ／ＡＧＣ
１０５  デジタル信号処理部
１０６  フレームメモリ
１０７  画素数調整部
１０８  画像／音声データバス
１０９  マイクロフォン
１１０  増幅器
１１１  Ａ／Ｄコンバータ
１１２  液晶パネル
１１３  液晶ドライバ
１１４  Ｈ．２６４コーデック
１１５  ストリームバッファ
１１６  ビデオ出力端子
１１７  ＮＴＳＣエンコーダ
１１８  ＡＴＡインターフェース
１１９  ハードディスクドライブ
１２０  ＳＤカードドライバ
１２１  ＳＤメモリカード
１２２  ＵＳＢ端子
１２３  ＵＳＢインターフェース
１２４  操作キー
１２５  メインマイコン
１２６  ＲＡＭ
１２７  ＥＥＰＲＯＭ（不揮発性メモリ）
１２８  制御信号バス
【図１】
2009163852.tif 000003
【図２】
2009163852.tif 000004
【図３】
2009163852.tif 000005
【図４】
2009163852.tif 000006
【図５】
2009163852.tif 000007
【図６】
2009163852.tif 000008
【図７】
2009163852.tif 000009
【図８】
2009163852.tif 000010
【図９】
2009163852.tif 000011
【図１０】
2009163852.tif 000012
【図１１】
2009163852.tif 000013
【図１２】
2009163852.tif 000014
【図１３】
2009163852.tif 000015